(57)【要約】【課題】物品管理時の管理者が、少ない操作負担や労力で各物品の配置・収納位置を確実に認識でき、利便性を向上する。【解決手段】物品管理システムＳは、管理対象の薬品１に貼付されて関連して取り扱われ、物品タグＩＤと自己品種コードと自己品種管理位置とをそれぞれ記憶した複数の無線タグ回路素子Ｔoと、これら無線タグ回路素子Ｔoと無線通信により情報の送受信を行うための装置側アンテナ４を介して無線タグ回路素子Ｔoに記憶された自己品種管理位置を取得し、この自己品種管理位置を表示部９に表示するための信号を出力する携帯管理装置２とを有している。【選択図】図２
2008143669.tif 000002
【特許請求の範囲】
【請求項１】
管理対象物品に関連して取り扱われ、情報を記憶するＩＣ回路部と情報を送受信するタグ側アンテナとを有し、前記ＩＣ回路部に、タグ識別情報と前記管理対象物品の自己対象物情報及び管理位置情報とをそれぞれ記憶した複数の無線タグ回路素子と、
前記無線タグ回路素子と無線通信により情報の送受信を行うための通信手段、この通信手段を介し前記無線タグ回路素子の前記ＩＣ回路部に記憶された前記管理位置情報を取得するための位置情報取得手段、及び、この位置情報取得手段で取得した前記管理位置情報を表示手段に表示するための信号を出力する位置情報表示出力手段を備えた無線タグ情報読み取り装置と
を有することを特徴とする物品管理システム。
【請求項２】
請求項１記載の物品管理システムにおいて、
前記無線タグ情報読み取り装置は、
前記自己対象物情報を含む問いかけ信号を用いて、当該自己対象物情報に対応する前記無線タグ回路素子の前記ＩＣ回路部に記憶された前記タグ識別情報を取得する第１タグ識別情報取得手段
を有することを特徴とする物品管理システム。
【請求項３】
請求項２記載の物品管理システムにおいて、
前記複数の無線タグ回路素子のそれぞれは、対応する管理対象物品の入出荷履歴を表す自己入出荷履歴情報を前記ＩＣ回路部に記憶しており、
前記無線タグ情報読み取り装置は、
前記ＩＣ回路部に記憶された前記自己入出荷履歴情報を取得する第１履歴情報取得手段
を有することを特徴とする物品管理システム。
【請求項４】
請求項２又は請求項３のいずれか１項記載の物品管理システムにおいて、
前記複数の無線タグ回路素子のそれぞれは、対応する管理対象物品の総在庫数を表す自己総在庫情報を前記ＩＣ回路部に記憶しており、
前記無線タグ情報読み取り装置は、
前記ＩＣ回路部に記憶された前記自己総在庫情報を取得する第１総在庫情報取得手段
を有することを特徴とする物品管理システム。
【請求項５】
請求項２乃至請求項４のいずれか１項記載の物品管理システムにおいて、
前記複数の無線タグ回路素子のそれぞれは、対応する管理対象物品の使用予約の有無を表す自己予約情報を前記ＩＣ回路部に記憶しており、
前記無線タグ情報読み取り装置は、
前記ＩＣ回路部に記憶された前記自己予約情報を取得する第１予約情報取得手段
を有することを特徴とする物品管理システム。
【請求項６】
請求項２乃至請求項５のいずれか１項記載の物品管理システムにおいて、
前記複数の無線タグ回路素子のそれぞれは、前記ＩＣ回路部に、近傍所定範囲内に位置する他の無線タグ回路素子に対応した隣接対象物情報を記憶しており、
前記無線タグ情報読み取り装置は、
前記隣接対象物情報を含む問いかけ信号を用いて、当該隣接対象物情報を記憶した前記ＩＣ回路部を備えた無線タグ回路素子の前記タグ識別情報を取得する第２タグ識別情報取得手段
を有することを特徴とする物品管理システム。
【請求項７】
請求項６記載の物品管理システムにおいて、
前記複数の無線タグ回路素子のそれぞれは、前記他の無線タグ回路素子に対応する前記管理対象物品の入出荷履歴を表す隣接入出荷履歴情報を前記ＩＣ回路部に記憶しており、
前記無線タグ情報読み取り装置は、
前記ＩＣ回路部に記憶された前記隣接入出荷履歴情報を取得する第２履歴情報取得手段
を有することを特徴とする物品管理システム。
【請求項８】
請求項６又は請求項７記載の物品管理システムにおいて、
前記複数の無線タグ回路素子のそれぞれは、前記他の無線タグ回路素子に対応する前記管理対象物品の総在庫数を表す隣接総在庫情報を前記ＩＣ回路部に記憶しており、
前記無線タグ情報読み取り装置は、
前記ＩＣ回路部に記憶された前記隣接総在庫情報を取得する第２総在庫情報取得手段
を有することを特徴とする物品管理システム。
【請求項９】
請求項６乃至請求項８のいずれか１項記載の物品管理システムにおいて、
前記複数の無線タグ回路素子のそれぞれは、前記他の無線タグ回路素子に対応する前記管理対象物品の使用予約の有無を表す隣接予約情報を前記ＩＣ回路部に記憶しており、
前記無線タグ情報読み取り装置は、
前記ＩＣ回路部に記憶された前記隣接予約情報を取得する第２予約情報取得手段
を有することを特徴とする物品管理システム。
【請求項１０】
請求項６乃至請求項９のいずれか１項記載の物品管理システムにおいて、
前記複数の無線タグ回路素子のそれぞれは、対応する管理対象物品の、前記他の無線タグ回路素子に対応した前記管理対象物品との互換性情報を前記ＩＣ回路部に記憶しており、
前記無線タグ情報読み取り装置は、
前記ＩＣ回路部に記憶された前記互換性情報を取得する互換性情報取得手段と、
この互換性情報取得手段で取得した前記互換性情報を表示手段に表示するための信号を出力する互換性情報表示出力手段と
を有することを特徴とする物品管理システム。
【請求項１１】
管理対象物品に関連して取り扱われ、情報を記憶するＩＣ回路部と情報を送受信するタグ側アンテナとを備えた無線タグ回路素子を有する無線タグであって、
前記ＩＣ回路部は、
タグ識別情報と、
前記管理対象物品の自己対象物情報と、
前記管理対象物品の管理位置情報と
を記憶保持していることを特徴とする無線タグ。
【請求項１２】
請求項１１記載の無線タグにおいて、
前記ＩＣ回路部は、
近傍所定範囲内に位置する他の無線タグ回路素子に対応した隣接対象物情報を記憶保持している
ことを特徴とする無線タグ。
【請求項１３】
管理対象物品に関連して取り扱われ、情報を記憶するＩＣ回路部と情報を送受信するタグ側アンテナとを有し、前記ＩＣ回路部に、タグ識別情報と前記管理対象物品の自己対象物情報及び管理位置情報とをそれぞれ記憶した複数の無線タグ回路素子と無線通信により情報の送受信を行うための通信手段と、
この通信手段を介し前記無線タグ回路素子の前記ＩＣ回路部に記憶された前記管理位置情報を取得するための位置情報取得手段と、
この位置情報取得手段で取得した前記管理位置情報を表示手段に表示するための信号を出力する位置情報表示出力手段と、
前記自己対象物情報を含む問いかけ信号を用いて、当該自己対象物情報に対応する前記無線タグ回路素子の前記ＩＣ回路部に記憶された前記タグ識別情報を取得する第１タグ識別情報取得手段と
を有することを特徴とする無線タグ情報読み取り装置。
【請求項１４】
請求項１３記載の無線タグ情報読み取り装置において、
前記通信手段は、
近傍所定範囲内に位置する他の無線タグ回路素子に対応した隣接対象物情報をさらに前記ＩＣ回路部に記憶した前記無線タグ回路素子と無線通信により情報の送受信を行い、
前記隣接対象物情報を含む問いかけ信号を用いて、当該隣接対象物情報を記憶した前記ＩＣ回路部を備えた無線タグ回路素子の前記タグ識別情報を取得する第２タグ識別情報取得手段
を設けたことを特徴とする無線タグ情報読み取り装置。
【請求項１５】
請求項１３又は請求項１４記載の無線タグ情報読み取り装置において、
前記複数の無線タグ回路素子のそれぞれは、対応する管理対象物品の総在庫数を表す自己総在庫情報を前記ＩＣ回路部に記憶しており、
前記管理対象物品の入出荷に対応して更新した前記自己総在庫情報を、前記通信手段を介し、対応する前記無線タグ回路素子の前記ＩＣ回路部に書き込む第１書き込み手段
を有することを特徴とする無線タグ情報読み取り装置。
【請求項１６】
請求項１３乃至請求項１５のいずれか１項記載の無線タグ情報読み取り装置において、
前記複数の無線タグ回路素子のそれぞれは、前記他の無線タグ回路素子に対応する前記管理対象物品の総在庫数を表す隣接総在庫情報を前記ＩＣ回路部に記憶しており、
前記他の無線タグ回路素子に対応する前記管理対象物品の入出荷に対応して更新した前記隣接総在庫情報を、前記通信手段を介し、対応する前記無線タグ回路素子の前記ＩＣ回路部に書き込む第２書き込み手段
を有することを特徴とする無線タグ情報読み取り装置。
【発明の詳細な説明】
【技術分野】
【０００１】
本発明は、管理対象物に備えられた無線タグに保持された情報を読み取ることで物品管理を行う物品管理システム、これに用いる無線タグ、及び読み取りを行う情報読み取り装置に関するものである。
【背景技術】
【０００２】
物品管理を行う際に、管理対象の物品に情報保持部（バーコードや無線タグ等）を設け、その保持された情報を非接触で読み取る情報読み取り装置が、既に知られている。例えば、情報保持部として無線タグを設ける場合、ＲＦＩＤ（Ｒａｄｉｏ Ｆｒｅｑｕｅｎｃｙ Ｉｄｅｎｔｉｆｉｃａｔｉｏｎ）システムと称される。
【０００３】
このシステムにおいては、例えばラベル状の無線タグに備えられた無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用化されている。
【０００４】
ここで、無線タグ回路素子のＩＣ回路部に所定の識別情報（タグＩＤ）を記憶させておき、これに対応する対象物の物品情報（＝対象物情報）を（又はその一部を）別のデータベースに格納保持しておく手法が既に知られている。この場合、例えば対象物に関わる無線タグ回路素子の識別情報をリーダにて読み取り、その読みとった識別情報に基づきデータベースを検索することにより、当該対象物に関わる対象物情報を適宜データベースより取得する。
【０００５】
このような従来技術の一例としては、例えば特許文献１に記載の物品管理システムがある。この物品管理システム（蔵書管理システム）は、位置特定対象となる図書それぞれに図書用無線タグ回路素子が設けられる一方、図書の移動管理を行うために書架の各棚に位置情報を与えるための棚用無線タグ回路素子が設けられている。そして、図書用無線タグ回路素子のタグＩＤ（第１タグ識別情報）と書籍情報との相関情報（ひも付け情報）、及び、棚用無線タグ回路素子のタグＩＤ（第２タグ識別情報）と棚情報との相関情報（ひも付け情報）を格納保持したデータベースが設けられ、操作端末（処理コンピュータ）がこのデータベースを検索可能に接続されている。
【特許文献１】特開２００５−８３４６号公報
【発明の開示】
【発明が解決しようとする課題】
【０００６】
上記従来技術においては、例えば所定期間ごとに各図書の移動、持ち出し等を検出して管理を行う際には、管理者は、携帯用の読み取り装置を用いて書架の各図書に設けられた図書用無線タグ回路素子の第１タグ識別情報を棚の一方側から他方側へと順次読み取るとともに、棚の端まで来たら上記棚用無線タグ回路素子の第２タグ識別情報を読み取り、これら２種類のタグ識別情報はともに無線通信を介して操作端末に送られる。その後、上記のようにして読み取り装置から送られてきた第１タグ識別情報と第２タグ識別情報とを、管理者が操作端末で適宜の操作を介してデータ編集や加工を行うことで関連づけ、これによって各図書の名称や内容等の書籍情報と当該図書の位置情報（棚情報）とが対応付けられて、データベースへ格納され、データ更新されるようになっている。
【０００７】
１つの図書が配置・収納されるべき位置を知りたい場合、管理者は、携帯用の読み取り装置で図書用無線タグ回路素子より第１タグ識別情報を読み取った後、操作用端末を用いて、その図書用無線タグ回路素子の第１タグ識別情報をキーとしてデータベースにアクセスし、対応する棚用無線タグ回路素子の第２タグ識別情報を取得する作業を行わねばならなかった。このため、物品（図書）管理時の操作負担が煩雑で労力が大きく、利便性が低かった。
【０００８】
本発明は、物品管理時の管理者が少ない操作負担や労力で物品の配置・収納位置を確実に認識でき、利便性を向上できる物品管理システム、無線タグ、及び無線タグ情報読み取り装置を提供することにある。
【課題を解決するための手段】
【０００９】
上記目的を達成するために、第１の発明は、管理対象物品に関連して取り扱われ、情報を記憶するＩＣ回路部と情報を送受信するタグ側アンテナとを有し、前記ＩＣ回路部に、タグ識別情報と前記管理対象物品の自己対象物情報とをそれぞれ記憶した複数の無線タグ回路素子と、前記無線タグ回路素子と無線通信により情報の送受信を行うための通信手段、この通信手段を介し前記無線タグ回路素子の前記ＩＣ回路部に記憶された前記管理位置情報を取得するための位置情報取得手段、及び、この位置情報取得手段で取得した前記管理位置情報を表示手段に表示するための信号を出力する位置情報表示出力手段を備えた無線タグ情報読み取り装置とを有することを特徴とする。
【００１０】
本願第１発明の物品管理システムにおいては、管理対象物品に対し無線タグ回路素子が添付、貼り付け、同梱等、関連して取り扱われるようになっており、その無線タグ回路素子のＩＣ回路部に、当該管理対象物品の（自己）対象物情報と管理位置情報とが記憶されている。無線タグ情報読み取り装置の通信手段により無線タグ回路素子と無線通信が行われると、位置情報取得手段で管理位置情報が取得され、これに対応する信号が位置情報表示出力手段から表示手段へ出力される。この結果、当該無線タグ回路素子に関連付けられた管理対象物品の管理位置情報を表示手段で表示することが可能となる。
【００１１】
このようにして、管理対象物品の無線タグ情報の読み取りを行うだけで、（特にデータベースアクセス等を行うことなく）当該物品が配置・収納されるべき位置が表示されるので、操作者（管理者）は各物品の配置・収納位置を確実に認識することができ、物品管理における利便性を向上することができる。
【００１２】
第２発明は、上記第１発明において、前記無線タグ情報読み取り装置は、前記自己対象物情報を含む問いかけ信号を用いて、当該自己対象物情報に対応する前記無線タグ回路素子の前記ＩＣ回路部に記憶された前記タグ識別情報を取得する第１タグ識別情報取得手段を有することを特徴とする。
【００１３】
自己対象物情報を指定して問いかけ信号により問いかけを行うことにより、これに無線タグ回路素子の応答があれば、当該無線タグ回路素子に関連付けられた管理対象物品が、探したい物品であることになる。そこで、応答した無線タグ回路素子のタグ識別情報を第１タグ識別情報取得手段で取得することにより、この取得結果に基づきタグ識別情報を用いて当該無線タグ回路素子を特定することができる。この結果、その特定した無線タグ回路素子に対し位置情報取得手段で管理対象物品の管理位置情報を取得し、当該物品の配置・収納位置を特定することができる。
【００１４】
第３発明は、上記第２発明において、前記複数の無線タグ回路素子のそれぞれは、対応する管理対象物品の入出荷履歴を表す自己入出荷履歴情報を前記ＩＣ回路部に記憶しており、前記無線タグ情報読み取り装置は、前記ＩＣ回路部に記憶された前記自己入出荷履歴情報を取得する第１履歴情報取得手段を有することを特徴とする。
【００１５】
自己対象物情報を指定した問いかけ信号に応答した無線タグ回路素子から自己入出荷履歴情報を取得することにより、探したい物品の入出荷履歴を確認することができ、さらに利便性が向上する。
【００１６】
第４発明は、上記第２又は第３発明のいずれかにおいて、前記複数の無線タグ回路素子のそれぞれは、対応する管理対象物品の総在庫数を表す自己総在庫情報を前記ＩＣ回路部に記憶しており、前記無線タグ情報読み取り装置は、前記ＩＣ回路部に記憶された前記自己総在庫情報を取得する第１総在庫情報取得手段を有することを特徴とする。
【００１７】
自己対象物情報を指定した問いかけ信号に応答した無線タグ回路素子から自己総在庫情報を取得することにより、探したい物品の総在庫数を確認することができ、さらに利便性が向上する。
【００１８】
第５発明は、上記第２乃至第４発明のいずれかにおいて、前記複数の無線タグ回路素子のそれぞれは、対応する管理対象物品の使用予約の有無を表す自己予約情報を前記ＩＣ回路部に記憶しており、前記無線タグ情報読み取り装置は、前記ＩＣ回路部に記憶された前記自己予約情報を取得する第１予約情報取得手段を有することを特徴とする。
【００１９】
自己対象物情報を指定した問いかけ信号に応答した無線タグ回路素子から自己予約情報を取得することにより、探したい物品が、既に使用予定として予約されているかどうかを確認することができるので、さらに利便性が向上する。
【００２０】
第６発明は、上記第２乃至第５発明のいずれかにおいて、前記複数の無線タグ回路素子のそれぞれは、前記ＩＣ回路部に、近傍所定範囲内に位置する他の無線タグ回路素子に対応した隣接対象物情報を記憶しており、前記無線タグ情報読み取り装置は、前記隣接対象物情報を含む問いかけ信号を用いて、当該隣接対象物情報を記憶した前記ＩＣ回路部を備えた無線タグ回路素子の前記タグ識別情報を取得する第２タグ識別情報取得手段
を有することを特徴とする。
【００２１】
隣接対象物情報を指定した問いかけ信号により問いかけを行うことにより、これに応答する他の無線タグ回路素子があれば、（自己対象物情報を指定した問いかけ信号に応答がなかった場合でも）当該無線タグ回路素子に関連付けられた管理対象物品は、探したい物品と配置・収納位置が近い物品であることになる。応答した無線タグ回路素子のタグ識別情報を第２タグ識別情報取得手段で取得することで、この取得結果に基づきタグ識別情報を用いて当該無線タグ回路素子を特定することができる。これにより、その特定した無線タグ回路素子に対し位置情報取得手段で管理位置情報を取得することで、当該物品（探したい物品の近くにある物品）の配置・収納位置を特定することができる。
【００２２】
第７発明は、上記第６発明において、前記複数の無線タグ回路素子のそれぞれは、前記他の無線タグ回路素子に対応する前記管理対象物品の入出荷履歴を表す隣接入出荷履歴情報を前記ＩＣ回路部に記憶しており、前記無線タグ情報読み取り装置は、前記ＩＣ回路部に記憶された前記隣接入出荷履歴情報を取得する第２履歴情報取得手段を有することを特徴とする。
【００２３】
これにより、探したい物品が所定の配置・収納位置になく自己対象物情報を指定した問いかけ信号に応答する無線タグ回路素子がなかったとしても、隣接対象物情報を指定した問いかけ信号に応答した無線タグ回路素子があった場合、その隣接入出荷履歴情報（＝探したい物品の自己入出荷履歴情報に相当）を取得することができる。この結果、探したい物品の入出荷履歴を確認することができるので、管理対象物品不在状態でも管理が可能となり、さらに利便性を向上することができる。
【００２４】
第８発明は、上記第６又は第７発明において、前記複数の無線タグ回路素子のそれぞれは、前記他の無線タグ回路素子に対応する前記管理対象物品の総在庫数を表す隣接総在庫情報を前記ＩＣ回路部に記憶しており、前記無線タグ情報読み取り装置は、前記ＩＣ回路部に記憶された前記隣接総在庫情報を取得する第２総在庫情報取得手段を有することを特徴とする。
【００２５】
これにより、探したい物品が所定の配置・収納位置になく自己対象物情報を指定した問いかけ信号に応答する無線タグ回路素子がなかったとしても、隣接対象物情報を指定した問いかけ信号に応答した無線タグ回路素子があった場合、その隣接総在庫情報（＝探したい物品の自己総在庫情報に相当）を取得することができる。この結果、探したい物品の総在庫数を確認することができるので、管理対象物品不在状態でも管理が可能となり、さらに利便性を向上することができる。
【００２６】
第９発明は、上記第６乃至第８発明のいずれかにおいて、前記複数の無線タグ回路素子のそれぞれは、前記他の無線タグ回路素子に対応する前記管理対象物品の使用予約の有無を表す隣接予約情報を前記ＩＣ回路部に記憶しており、前記無線タグ情報読み取り装置は、前記ＩＣ回路部に記憶された前記隣接予約情報を取得する第２予約情報取得手段を有することを特徴とする。
【００２７】
これにより、探したい物品が所定の配置・収納位置になく自己対象物情報を指定した問いかけ信号に応答する無線タグ回路素子がなかったとしても、隣接対象物情報を指定した問いかけ信号に応答した無線タグ回路素子があった場合、その隣接予約情報（＝探したい物品の自己予約情報に相当）を取得することができる。この結果、探したい物品が、既に使用予定として予約されているかどうかを確認することができるので、管理対象物品不在状態でも管理が可能となり、さらに利便性を向上することができる。
【００２８】
第１０発明は、上記第６乃至第９発明のいずれかにおいて、前記複数の無線タグ回路素子のそれぞれは、対応する管理対象物品の、前記他の無線タグ回路素子に対応した前記管理対象物品との互換性情報を前記ＩＣ回路部に記憶しており、前記無線タグ情報読み取り装置は、前記ＩＣ回路部に記憶された前記互換性情報を取得する互換性情報取得手段と、この互換性情報取得手段で取得した前記互換性情報を表示手段に表示するための信号を出力する互換性情報表示出力手段とを有することを特徴とする。
【００２９】
これにより、探したい物品が所定の配置・収納位置になく自己対象物情報を指定した問いかけ信号に応答する無線タグ回路素子がなかったとしても、隣接対象物情報を指定した問いかけ信号に応答した無線タグ回路素子があった場合、その互換性情報を取得し表示させることができる。この結果、探したい物品に代えて別の物品によって代用できるかどうかを確認することができるので、さらに利便性を向上することができる。
【００３０】
上記目的を達成するために、第１１発明は、管理対象物品に関連して取り扱われ、情報を記憶するＩＣ回路部と情報を送受信するタグ側アンテナとを備えた無線タグ回路素子を有する無線タグであって、前記ＩＣ回路部は、タグ識別情報と、前記管理対象物品の自己対象物情報と、前記管理対象物品の管理位置情報と
を記憶保持していることを特徴とする。
【００３１】
本願第１１発明の無線タグは、管理対象物品に対して添付、貼り付け、同梱等、関連して取り扱われるともに、無線タグ回路素子のＩＣ回路部に、当該管理対象物品の（自己）対象物情報と管理位置情報とが記憶されている。これにより、無線タグ情報読み取り装置側と無線通信が行われることで装置側で管理位置情報が取得され、管理対象物品の管理位置情報を表示することが可能となる。
【００３２】
このようにして、管理対象物品の無線タグ情報の読み取りを行うだけで、（特にデータベースアクセス等を行うことなく）当該物品が配置・収納されるべき位置を表示させることができるので、操作者（管理者）は各物品の配置・収納位置を確実に認識することができ、物品管理における利便性を向上することができる。
【００３３】
第１２発明は、上記第１１発明において、前記ＩＣ回路部は、近傍所定範囲内に位置する他の無線タグ回路素子に対応した隣接対象物情報を記憶保持している
ことを特徴とする。
【００３４】
これにより、無線タグ情報読み取り装置側からの自己対象物情報を指定した問いかけ信号に応答がなかった場合であっても、隣接対象物情報を指定した問いかけ信号により問いかけを行うことで、応答した無線タグ回路素子に関連付けられた管理対象物品は探したい物品と配置・収納位置が近い物品であることになる。この結果、探したい物品の近くにある物品の配置・収納位置を特定することができる。
【００３５】
上記目的を達成するために、第１３発明は、管理対象物品に関連して取り扱われ、情報を記憶するＩＣ回路部と情報を送受信するタグ側アンテナとを有し、前記ＩＣ回路部に、タグ識別情報と前記管理対象物品の自己対象物情報及び管理位置情報とをそれぞれ記憶した複数の無線タグ回路素子と無線通信により情報の送受信を行うための通信手段と、この通信手段を介し前記無線タグ回路素子の前記ＩＣ回路部に記憶された前記管理位置情報を取得するための位置情報取得手段と、この位置情報取得手段で取得した前記管理位置情報を表示手段に表示するための信号を出力する位置情報表示出力手段と、前記自己対象物情報を含む問いかけ信号を用いて、当該自己対象物情報に対応する前記無線タグ回路素子の前記ＩＣ回路部に記憶された前記タグ識別情報を取得する第１タグ識別情報取得手段とを有することを特徴とする。
【００３６】
本願第１３発明においては、管理対象物品に対し無線タグ回路素子が添付、貼り付け、同梱等、関連して取り扱われるようになっており、その無線タグ回路素子のＩＣ回路部に、タグ識別情報と当該管理対象物品の（自己）対象物情報及び管理位置情報とが記憶されている。そして、通信手段によって無線タグ回路素子と無線通信が行われる。このとき、自己対象物情報を指定して問いかけ信号により問いかけを行うことにより、これに無線タグ回路素子の応答があれば、当該無線タグ回路素子に関連付けられた管理対象物品が、探したい物品であることになる。
【００３７】
そこで、応答した無線タグ回路素子のタグ識別情報を第１タグ識別情報取得手段で取得することにより、この取得結果に基づきタグ識別情報を用いて当該無線タグ回路素子を特定することができる。この結果、その特定した無線タグ回路素子に対し位置情報取得手段で管理対象物品の管理位置情報を取得し、これに対応する信号を位置情報表示出力手段で表示手段へ出力することができる。このようにして、探したい物品の管理位置情報を表示手段で表示させ、当該物品の配置・収納位置を特定することができる。
【００３８】
以上のように、管理対象物品の無線タグ情報の読み取りを行うだけで、（特にデータベースアクセス等を行うことなく）、操作者（管理者）は各物品の配置・収納位置を確実に認識することができ、物品管理における利便性を向上することができる。
【００３９】
第１４発明は、上記第１３発明において、前記通信手段は、近傍所定範囲内に位置する他の無線タグ回路素子に対応した隣接対象物情報をさらに前記ＩＣ回路部に記憶した前記無線タグ回路素子と無線通信により情報の送受信を行い、前記隣接対象物情報を含む問いかけ信号を用いて、当該隣接対象物情報を記憶した前記ＩＣ回路部を備えた無線タグ回路素子の前記タグ識別情報を取得する第２タグ識別情報取得手段を設けたことを特徴とする。
【００４０】
隣接対象物情報を指定した問いかけ信号により問いかけを行うことにより、これに応答する他の無線タグ回路素子があれば、（自己対象物情報を指定した問いかけ信号に応答がなかった場合でも）当該無線タグ回路素子に関連付けられた管理対象物品は、探したい物品と配置・収納位置が近い物品であることになる。そこで、応答した無線タグ回路素子のタグ識別情報を第２タグ識別情報取得手段で取得することにより、この取得結果に基づきタグ識別情報を用いて当該無線タグ回路素子を特定することができる。これにより、その特定した無線タグ回路素子に対し位置情報取得手段で管理位置情報を取得することで、当該物品（探したい物品の近くにある物品）の配置・収納位置を特定することができる。
【００４１】
第１５発明は、上記第１３発明又は第１４発明において、前記複数の無線タグ回路素子のそれぞれは、対応する管理対象物品の総在庫数を表す自己総在庫情報を前記ＩＣ回路部に記憶しており、前記管理対象物品の入出荷に対応して更新した前記自己総在庫情報を、前記通信手段を介し、対応する前記無線タグ回路素子の前記ＩＣ回路部に書き込む第１書き込み手段を有することを特徴とする。
【００４２】
これにより、管理対象物品の入出荷に応じて自己総在庫情報が変動したとき、これを確実に反映させ、常に最新の情報を各無線タグ回路素子に記憶させることができる。
【００４３】
第１６発明は、上記第１３乃至第１５発明のいずれかにおいて、前記複数の無線タグ回路素子のそれぞれは、前記他の無線タグ回路素子に対応する前記管理対象物品の総在庫数を表す隣接総在庫情報を前記ＩＣ回路部に記憶しており、前記他の無線タグ回路素子に対応する前記管理対象物品の入出荷に対応して更新した前記隣接総在庫情報を、前記通信手段を介し、対応する前記無線タグ回路素子の前記ＩＣ回路部に書き込む第２書き込み手段を有すること特徴とする。
【００４４】
これにより、管理対象物品の入出荷に応じて隣接総在庫情報が変動したとき、これを確実に反映させ、常に最新の情報を各無線タグ回路素子に記憶させることができる。
【発明の効果】
【００４５】
本発明によれば、物品管理時の管理者が、少ない操作負担や労力で各物品の配置・収納位置を確実に認識することができ、物品管理における利便性を向上することができる。
【発明を実施するための最良の形態】
【００４６】
以下、本発明の一実施の形態を図面を参照しつつ説明する。本実施形態は、本発明の物品管理システムを消費材などの物品の在庫を管理する在庫管理システムに適用した場合の実施形態である。
【００４７】
図１は、本実施形態の在庫管理システムの外観を表す斜視図である。
【００４８】
この図１において、この在庫管理システム（物品管理システム）Ｓは、この例で縦に３段の載置段（上から下へ順に上段載置段１０１、中段載置段１０２、下段載置段１０３）を有する保管棚１００において、各載置段１０１，１０２，１０３に載置保管されている物品の在庫状態の管理を行うものである。この例では、消費材である物品は容器に収容された薬品（管理対象物品）１であり、保管棚１００の各載置段別にそれぞれ同じ品種の薬品１が区別されて保管される。各載置段１０１，１０２，１０３にそれぞれ保管される薬品１の品種の配置は予め設定されており、この例では保管棚１００の上段載置段１０１に品種Ａの薬品１Ａ、中段載置段１０２に品種Ｂの薬品１Ｂ、下段載置段１０３に品種Ｃの薬品１Ｃがそれぞれ保管されている。そして、使用者（操作者、管理者）Ｍは在庫管理システムＳを使用して薬品１の在庫管理処理を行うことにより、任意の品種の薬品１を任意の個数で持ち出し（出荷）、持ち出しの予約、及び補充（入荷）を行うことができる。
【００４９】
この図１に示すように、在庫管理システムＳは、使用者Ｍが所持する人物タグＴｊと、本実施形態による無線タグとして各薬品１の容器に貼付される物品タグラベルＴｂと、これら人物タグＴｊ及び物品タグラベルＴｂに対して無線通信を介し各種無線タグ情報のアクセス（読み取り又は書き込み）を行う、本実施形態による無線タグ情報読み取り装置としての携帯管理装置２とから構成されている。
【００５０】
図２は、本実施形態の在庫管理システムＳの概略を表すシステム構成図である。
【００５１】
この図２において、前述したように、在庫管理システムＳは、上記人物タグＴｊと、上記物品タグラベルＴｂと、上記携帯管理装置２とから構成されている。
【００５２】
携帯管理装置２は、装置本体３と、装置側アンテナ（通信手段）４とを有している。装置本体３は、ＣＰＵ（中央演算装置）５と、タグラベル作成部６と、例えばＲＡＭやＲＯＭ等からなるメモリ７と、使用者（携帯管理装置の操作者）からの指示や情報が入力される操作部８と、各種情報やメッセージを表示する表示部（表示手段）９と、装置側アンテナ４を介し物品タグラベルＴｂ及び人物タグＴｊとの無線通信の制御を行うＲＦ通信制御部１０とを備えている。
【００５３】
ＣＰＵ５は、ＲＡＭの一時記憶機能を利用しつつＲＯＭに予め記憶されたプログラムに従って信号処理を行い、それによって物品タグラベルＴｂ及び人物タグＴｊの検出処理やそれらに記憶されている無線タグ情報の読み取りと書き込み、さらに対応する情報の管理処理を行い、またタグラベル作成部６に対し物品タグラベルＴｂを作成する処理を行うようになっている。
【００５４】
物品タグラベルＴｂは、タグ側アンテナ１５１とＩＣ回路部１５０とを備える無線タグ回路素子Ｔoを、物品に貼付可能なタグテープに設けた構成のものである。
【００５５】
人物タグＴｊは、使用者が所持するＩＤカード（例えば社員証や身分証明証など）に、上記物品タグラベルＴｂに備えられているものと同じ構成の無線タグ回路素子Ｔoを設けたものである。
【００５６】
上記の在庫管理システムＳにおいて、薬品１の持ち出し操作時には、使用者Ｍが持ち出そうとする品種の薬品１の管理位置付近で携帯管理装置２を操作する。そして、持ち出し対象の品種の薬品１に貼付されている物品タグラベルＴｂの無線タグ回路素子Ｔo、又は、その持ち出し対象の品種の薬品１に隣接して保管されている他品種の薬品１の物品タグラベルＴｂの無線タグ回路素子Ｔo（他の無線タグ回路素子Ｔo）から、持ち出し対象品種の薬品１の管理状態に関する情報（管理位置に関する情報も含む）を読み取り、使用者Ｍはその情報に基づいて薬品１の持ち出し又は持ち出し予約を行う。そして、それによって変化した管理状態に対応するよう各物品タグラベルＴｂに対して新しい管理状態の情報に変更する書き換えを行う。この際に、薬品１の持ち出し又は予約した使用者Ｍに関する情報（名前など）を人物タグＴｊから読み取り、上記物品タグラベルＴｂへの書き換えに反映させる。
【００５７】
また、薬品１の補充操作時には、上記持ち出し操作時と同じく補充対象の品種の薬品１の管理位置付近で携帯管理装置２を操作する。そして、補充対象品種の薬品１の物品タグラベルＴｂ、又はその補充対象品種の薬品１に隣接して保管されている他品種の薬品１の物品タグラベルＴｂから補充対象品種の薬品１の管理状態に関する情報を読み取り、携帯管理装置２はその情報に基づいて補充しようとする薬品１の個体に貼付する物品タグラベルＴｂを新規に作成する。この際、補充対象品種及びそれに隣接する品種のそれぞれの管理状態の情報を新規の物品タグラベルＴｂに書き込む。そして、補充によって変化した管理状態に対応するよう各物品タグラベルＴｂに対して新しい管理状態の情報に変更する書き換えを行う。
【００５８】
図３は、上記携帯管理装置２におけるＣＰＵ５、ＲＦ通信制御部１０、及び装置側アンテナ４の詳細構成を表す機能ブロック図である。この図３において、携帯管理装置２のＲＦ通信制御部１０は上記装置側アンテナ４を介し上記無線タグ回路素子ＴoのＩＣ回路部１５０の情報(タグＩＤを含む無線タグ情報；詳しくは後述する)へアクセスするものであり、また携帯管理装置２のＣＰＵ５は無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、携帯管理装置２全体の動作を制御するものである。
【００５９】
ＲＦ通信制御部１０は、装置側アンテナ４を介し無線タグ回路素子Ｔoに対して信号を送信する送信部２１２と、装置側アンテナ４により受信された無線タグ回路素子Ｔoからの反射波を入力する受信部２１３と、送受分離器２１４とから構成される。
【００６０】
送信部２１２は、無線タグ回路素子ＴoのＩＣ回路部１５０の無線タグ情報にアクセスする (この例では読み取り及び書き込み)ための搬送波を発生させるよう水晶振動子２１５Ａ、ＣＰＵ５の制御により所定の周波数の信号を発生させるＰＬＬ（Phase  Locked  Loop）２１５Ｂ、及びＶＣＯ（Voltage  Controlled  Oscillator）２１５Ｃと、上記ＣＰＵ５から供給される信号に基づいて上記発生させられた搬送波を変調（この例ではＣＰＵ５からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ５からの「ＴＸ＿ＰＷＲ」信号によって決定される増幅率で増幅）する可変送信アンプ２１７とを備えている。そして、上記発生される搬送波は、例えばＵＨＦ帯又はマイクロ波帯の周波数を用いており、上記送信アンプ２１７の出力は、送受分離器２１４を介し装置側アンテナ４に伝達されて無線タグ回路素子ＴoのＩＣ回路部１５０に供給される。なお、無線タグ情報は上記のように変調した信号に限られず、単なる搬送波のみの場合もある。
【００６１】
受信部２１３は、装置側アンテナ４で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記装置側アンテナ４で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ５に入力されて処理される。
【００６２】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ５に入力されるようになっている。このようにして、本実施形態の携帯管理装置２では、Ｉ−Ｑ直交復調によって無線タグ回路素子Ｔoからの反射波の復調が行われる。
【００６３】
図４は、タグラベル作成部６の概略構成を表す概念的説明図である。この図４において、このタグラベル作成部６は、後述する無線タグ回路素子Ｔoを所定間隔で備えたタグテープ３０３をタグテープロール３０４に巻回してこのタグテープ３０３を連続的に供給するカートリッジ３００を着脱可能なカートリッジホルダ３０８と、このタグテープロール３０４から繰り出されたタグテープ３０３（又はこのタグテープ３０３に貼り合わされる図示しない被印字媒体）のうち各無線タグ回路素子Ｔoに対応した所定領域に所定の印字を行う印字ヘッド３０５と、無線タグ回路素子Ｔoとの間で無線通信により情報の送受信を行うための作成部アンテナ３０６及び高周波回路（通信手段）３０１と、入出力インタフェース３１０を介して上記ＣＰＵ５等に接続された制御回路３０２と、タグテープ３０３への印字及び無線タグ回路素子Ｔoへの上記情報書き込みが終了したタグテープ３０３を所定の長さに切断して上記タグラベルＴｂ，Ｔｈとするカッタ３０７と、印字ヘッド３０５に対向して設けられ、制御回路３０２により制御されてタグテープ３０３を搬送する搬送装置（搬送手段）３０９とを有する。
【００６４】
タグラベル作成部６が備える高周波回路３０１及び制御回路３０２は、詳細な説明を省略するが、前述した上記携帯管理装置２のＲＦ通信制御部１０及びＣＰＵ５とほぼ同等の機能を備えるものであり、無線タグ回路素子（物品タグラベルＴｂ又は人物タグＴｊに備えられる無線タグ回路素子Ｔo）ＴoのＩＣ回路部１５０への無線タグ情報（タグ識別情報であるタグＩＤを含む）を前記作成部アンテナ３０６を介して無線タグ回路素子Ｔoへ送信し、無線タグ回路素子ＴoのＩＣ回路部１５０に対して情報書き込みを行う。なお、タグラベル作成部６の高周波回路３０１及び制御回路３０２は、上記携帯管理装置２のＲＦ通信制御部１０及びＣＰＵ５を利用しても良い。
【００６５】
図５は、上記物品タグラベルＴｂ及び人物タグＴｊに共通して備えられた上記無線タグ回路素子Ｔoの機能的構成の一例を表すブロック図である。
【００６６】
図５において、無線タグ回路素子Ｔoは、上述したように携帯管理装置２の装置側アンテナ４や作成部アンテナ３０６と例えばＵＨＦ帯、マイクロ波、短波帯等の高周波を用いて非接触で信号の送受信を行うタグ側アンテナ１５１と、このタグ側アンテナ１５１に接続されたＩＣ回路部１５０とを有している。
【００６７】
ＩＣ回路部１５０は、タグ側アンテナ１５１により受信された搬送波を整流する整流部１５２と、この整流部１５２により整流された搬送波のエネルギを蓄積し駆動電源とするための電源部１５３と、上記タグ側アンテナ１５１により受信された搬送波からクロック信号を抽出して制御部（後述）１５７に供給するクロック抽出部１５４と、所定の情報信号を記憶し得る情報記憶部として機能するメモリ部１５５と、上記タグ側アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００６８】
変復調部１５６は、タグ側アンテナ１５１により受信された上記携帯管理装置２の装置側アンテナ４（又は作成部アンテナ３０６）からの通信信号の復調を行うと共に、上記制御部１５７からの返信信号に基づき、装置側アンテナ４（又は作成部アンテナ３０６）より受信された搬送波を変調し、タグ側アンテナ１５１より反射波として再送信する。
【００６９】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００７０】
クロック抽出部１５４は受信した信号からクロック成分を抽出して制御部１５７にクロックを抽出するものであり、受信した信号のクロック成分の速度に対応したクロックを制御部１５７に供給する。
【００７１】
なお、メモリ部１５５には少なくとも物品タグラベルＴｂ及び人物タグＴｊをそれぞれ個体別に識別するためのタグＩＤが記憶されており、これらタグＩＤについては、物品タグラベルＴｂと人物タグＴｊとを区別できるデータ構成の情報となっている。またこれに対応して携帯管理装置２は、物品タグラベルＴｂと人物タグＴｊとを区別して検出できるようになっている。
【００７２】
図６は、上記物品タグラベルＴｂの全体概略構造の一例を表す図であり、図６（ａ）は物品グラベルＴｂの上面図、図６（ｂ）は物品タグラベルＴｂの下面図である。これら図６（ａ）及び図６（ｂ）において、タグラベルＴｂは、例えば略シート形状のラベル本体１４９の中央に無線タグ回路素子Ｔoを配置している。
【００７３】
図６（ａ）に示すように、物品タグラベルＴｂのラベル本体１４９の表側（上面）には、貼付対象の薬品１の品種名（この例では「薬品Ａ」）とその貼付対象の個体の登録番号（この例では「００２７５」；この自己個体登録番号については後述する）からなる印字文字Ｒが印字される印字領域Ｐが設けられている。なお、この印字文字Ｒのうち登録番号が印字に必須な項目であり、他に薬品１の容器に品種名が記載されているラベルなどが貼付されている場合には、物品タグラベルＴｂへの品種名の印字は省略してもよい。
【００７４】
以上において、本実施形態の最も大きな特徴は、管理対象物品である薬品１に貼付する物品タグラベルＴｂにその薬品１の管理位置に関する情報を記憶させていることで、物品タグラベルＴｂから当該薬品１の配置・収納位置を直接読み取ることができ、確実に認識できることにある。以下、その詳細を順次説明する。
【００７５】
まず、本実施形態の例において、物品タグラベルＴｂの無線タグ回路素子Ｔoに記憶させる無線タグ情報の構成について説明する。
【００７６】
図７は、物品タグラベルＴｂの無線タグ回路素子Ｔoに記憶させる無線タグ情報の一例を概念的に表す図である。なお、この図７に示している例は、図１中の保管棚１００の上段載置段１０１に載置保管される品種Ａの薬品１Ａに貼付される物品タグラベルＴｂに記憶される無線タグ情報である。この図示する例の無線タグ情報は、多数個のデータやパラメータからなる情報群であり、大別して自己絶対情報、自己補足情報、隣接絶対情報、隣接補足情報の４つに分類されている。
【００７７】
自己絶対情報は、当該物品タグラベルＴｂが貼付される物品（この例では薬品１Ａ；以下同様）に直接関係する情報であって、最初の物品タグラベルＴｂの新規作成時に記録した後には書き換えることのない（書き換え不可とする）固定情報群である。図示する例の自己絶対情報は、当該物品タグラベルＴｂに備えられている無線タグ回路素子Ｔoを全ての無線タグ回路素子Ｔoにおいて一意に特定するためのタグ識別情報である物品タグＩＤと、当該物品タグラベルＴｂが貼付される物品（以下、自己物品という）の品種（この例では品種「Ａ」）に対応する自己品種コード（自己対象物情報）と、自己物品の品種のうちで例えば保管棚１００に補充される順に連番で登録される各個体についての自己個体登録番号（自己対象物情報。上記物品タグＩＤに一対一に対応する）と、各個体ごとの自己個体製造年月日及び自己個体有効期限と、各個体（各個体に対応する品種）が保管される管理位置（この例では図１中に示す保管棚１００の上段載置段１０１）を示す自己品種管理位置（管理位置情報）とで構成されている。なお、物品タグＩＤについては、使用者（又は上記タグテープ３０３の製造メーカにより）あらかじめ各無線タグ回路素子Ｔoに記録されているものとする。
【００７８】
自己補足情報は、自己物品の管理状態に関係する情報であって、物品タグラベルＴｂの新規作成時に記録した後でも物品の管理状態が変化（持ち出し、予約、補充）する度に書き換えられる可変情報群である。図示する例の自己補足情報としては、自己物品の品種の管理状態の変化により自己補足情報を最後に更新した日時を示す自己品種更新日時（自己入出荷履歴情報）と、自己物品の品種の管理位置に現在保管されている在庫数を示す自己品種在庫数（自己総在庫情報）と、自己物品各個体ごとの管理状態（予約されているか、持ち出されているか等）を示す自己個体状態フラグ（自己予約情報）と、各個体が持ち出し又は予約された場合のその使用者Ｍを示す自己個体使用者ＩＤ及び自己個体使用者名とで構成されている。
【００７９】
そのうちの自己個体状態フラグについては、例えば、「０」である場合には当該個体が管理位置に予約されずに保管中の状態であることを示し、「１」である場合には当該個体が管理位置に載置されているもののすでに誰かが将来的に持ち出しを予約している状態であることを示し、「２」である場合には当該個体がすでに誰かに管理位置から持ち出されている状態であることを示している。また、自己品種在庫数は保管中（「０」）の物品と予約済み（「１」）の物品との合計を示している。
【００８０】
隣接絶対情報は、当該物品タグラベルＴｂが貼付される物品の管理位置の近傍所定範囲（この例では上下方向に隣接する段）に保管されている物品（以下、隣接物品という）に直接関係する情報であって、上記自己絶対情報と同様に新規作成時以外では書き換えることのない固定情報群である。図示する例の隣接絶対情報は、隣接物品の品種（この例では品種「Ｂ」）に対応する隣接品種コード（隣接対象物情報）と、隣接物品の品種が保管される管理位置（この例では図１中に示す保管棚１００の中段載置段１０２）を示す隣接品種管理位置と、隣接物品の品種と自己物品の品種との使用の互換性の有無を示す隣接品種互換性フラグ（互換性情報）とで構成されている。
【００８１】
そのうちの隣接品種互換性フラグについては、例えば自己物品と隣接物品がともに同一物品（この例では薬品１Ａと薬品１Ｂでありともに「薬品」で共通）の場合において、隣接物品に対して自己物品が代替的に使用できるかどうかの互換性を示すパラメータである。例えば、互換性の有無を「０」と「１」の２段階だけで示してもよいし、または互換性の程度に応じて複数のレベルで段階的に示してもよいし、または複数の使用用途別に対応してそれぞれの互換性を示すようにしてもよい。
【００８２】
隣接補足情報は、当該物品タグラベルＴｂが貼付される物品の管理位置に隣接する位置に保管されている物品の管理状態に関係する情報であって、上記自己補足情報と同様に新規作成時以外でも隣接する物品の管理状態が変化する度に書き換えられる可変情報群である。図示する例の隣接補足情報は、隣接物品の品種の管理状態の変化により隣接補足情報を最後に更新した日時を示す隣接品種更新日時（隣接入出荷履歴情報）と、隣接物品の品種の管理位置に現在保管されている在庫数を示す隣接品種在庫数（隣接総在庫情報）と、隣接物品の個体の管理状態を示す隣接個体状態テーブル（後述の図８参照）とで構成されている。
【００８３】
図８は、物品タグラベルＴｂの無線タグ回路素子Ｔoに記憶させる隣接個体状態テーブルの一例を概念的に表す図である。この図８に示す例の隣接個体状態テーブルは、現在までに隣接位置に保管された隣接物品の各個体の隣接個体登録番号に対応して、隣接個体状態フラグ（隣接予約情報）、隣接個体使用者ＩＤ、及び隣接個体使用者名が格納される相関情報の形式で構成されている。
【００８４】
そのうちの隣接個体状態フラグは、この例では、上記自己個体状態フラグと同様にその内容が「０」である場合には保管中の状態であることを示し、「１」である場合には予約済みの状態であることを示し、「２」である場合にはすでに管理位置から持ち出し済みの状態であることを示している。また、隣接個体使用者ＩＤと隣接個体使用者名については、隣接物品の個体が持ち出し又は予約された際にその使用者Ｍを特定するための識別情報であり、この例では当該使用者Ｍが所持している人物タグＴｊから読み取った人物タグＩＤと使用者名（これらは後に詳述する）がそれぞれ適用されて記録される。
【００８５】
なお、上記図７で示した無線タグ情報は、前述したように、図１中の保管棚１００の上段載置段１０１に載置保管される品種Ａの薬品１Ａに対応する無線タグ情報の場合を例にとって示している。このため、隣接物品は中段載置段１０２に載置保管される品種Ｂの薬品１Ｂだけとなり、したがって隣接絶対情報と隣接保管情報は（１品種に対応する）一つのみ示している。しかし、中段載置段１０２に載置保管される品種Ｂの薬品１Ｂの場合については、隣接物品は上段載置段１０１と下段載置段１０３にそれぞれ載置保管される品種Ａと品種Ｃの薬品１Ｃの２種類となるため、無線タグ回路素子Ｔoのメモリ部１５５の記憶容量が十分に大きい場合には、それら２種類（２品種）の隣接物品にそれぞれ対応して隣接絶対情報及び隣接補足情報を２つずつ記憶するようにするとよい。
【００８６】
また、特に図示しないが、人物タグＴｊの無線タグ回路素子Ｔoに記憶される無線タグ情報としては、当該人物タグＴｊに備えられている無線タグ回路素子Ｔoを全ての無線タグ回路素子Ｔoにおいて一意に特定するための識別情報である人物タグＩＤと、当該人物タグＴｊを所持する使用者Ｍの使用者名とで構成されている。また、携帯管理装置２のメモリ７には、管理対象となる全ての薬品１の品種におけるそれぞれの品種コードと、品種名と、当該品種における最新の自己個体登録番号とが対応して記憶されている。
【００８７】
図９は、上記携帯管理装置２のＣＰＵ５によって実行される在庫管理処理の制御手順を表すフローチャートである。
【００８８】
この図９において、使用者Ｍが携帯管理装置２の電源を投入するとこのフローが開始される。なお、以下に説明する本実施形態の全ての制御手順は、図１に示す保管棚１００の上段載置段１０１を管理位置とする品種Ａの薬品１Ａを在庫管理（持ち出し、予約、補充）の主対象物品（自己物品）とした例で説明する。すなわち、隣接物品が中段載置段１０２の品種Ｂの薬品１Ｂのみである場合を例にとっている。
【００８９】
まずステップＳ５において、使用者Ｍが操作部８を介して持ち出し操作処理と補充操作処理のいずれを選択入力する操作が行われたか否かを判定する。いずれかの操作処理の選択入力が行われるまでループして待機し、選択入力が行われた場合、判定が満たされ、次のステップＳ１０へ移る。
【００９０】
ステップＳ１０では、上記ステップＳ５において選択入力された操作処理が持ち出し操作処理であるか否かを判定する。持ち出し操作処理が選択入力されている場合、判定が満たされ、ステップＳ１００の持ち出し操作処理を行った後にステップＳ１５へ移る。一方、補充操作処理が選択入力されている場合、判定が満たされず、ステップＳ３００の補充操作処理を行った後にステップＳ１５へ移る。
【００９１】
ステップＳ１５では、操作部８においてこの在庫管理処理のフローを終了させる操作がなされたか否かを判定する。終了操作がなされていない場合、判定が満たされず、ステップＳ５に戻りこのフローを最初から繰り返す。一方、終了操作がなされていた場合、判定が満たされ、このフローを終了する。
【００９２】
図１０、図１１は、携帯管理装置２のＣＰＵ５が図９中のステップＳ１００において実行する持ち出し操作処理の詳細手順を表すフローチャートである。
【００９３】
図１０において、まずステップＳ１０５において、使用者Ｍが持ち出し（持ち出しの予約も含む）を行う対象の薬品１（自己物品）の品種名を選択指定する入力操作が操作部８を介して行われたか否かを判定する。なお、この選択指定の際には、メモリ７に記憶している全ての薬品１の品種名を列記表示（メニュー表示）してそこから選択できるようにしてもよい。そして、いずれかの薬品１の品種名を選択指定する入力操作が行われるまでループして待機し、入力操作が行われた場合、判定が満たされ、次のステップＳ１１０へ移る。
【００９４】
ステップＳ１１０では、上記ステップＳ１０５で指定入力された品種名に対応する品種コード（この例では品種Ａに対応する品種コードＡ；以下同様）をメモリ７から取得し、次のステップＳ１１５へ移る。
【００９５】
ステップＳ１１５では、保管棚１００に保管されている多数個の薬品１にそれぞれ貼付されている物品タグラベルＴｂの無線タグ回路素子Ｔoに対して、ＲＦ通信制御部１０及び装置側アンテナ４を介し自己品種コードがこの例の品種コードＡである物品タグラベルＴｂを探索する。ここで、この「探索」とは、問いかけ信号を用いて特定の条件（上記の場合、自己品種コードが品種コードＡ）を満たす無線タグ回路素子ＴoからそのタグＩＤを取得することであり、以下において同様とする。
【００９６】
次にステップＳ１２０へ移り、上記ステップＳ１１５の探索によって対応する物品タグラベルＴｂが検出されたか（装置側アンテナ４及びＲＦ通信制御部１０を介し上記問いかけ信号に対応する応答信号が受信されたか）否かを判定する。対応する物品タグラベルＴｂ、すなわち自己品種コードがこの例の品種コードＡである物品タグラベルＴｂが一つでも検出された場合、判定が満たされ、すなわち使用者Ｍが持ち出し又は予約しようとしている目的の品種Ａの薬品１Ａの個体が保管棚１００に少なくとも一つは保管されているものとみなされ、ステップＳ１２５へ移る。
【００９７】
ステップＳ１２５では、上記ステップＳ１１５の探索により検出された物品タグラベルＴｂからの上記応答信号に含まれる自己絶対情報と自己補足情報とを取得する。なお、ステップＳ１１５の探索により複数の物品タグＴｂが検出された場合は公知の手法で１つずつ別々に処理を行えばよい。
【００９８】
なお、この例では上記ステップＳ１２０での問いかけ信号に対応する応答信号に自己絶対情報及び自己補足情報、さらには後述のように隣接絶対情報及び隣接補足情報も含まれている場合を例にとって説明しているが、これに限られない。すなわち応答信号には例えば識別情報（タグＩＤ）のみ等が含まれ、上記自己絶対情報、自己補足情報、隣接絶対情報、及び隣接補足情報が含まれていない場合には、上記ステップＳ１２０での応答信号により取得したタグＩＤを用いて対象無線タグ回路素子Ｔoを特定して、再度情報要求信号をＲＦ通信制御部１０及び装置側アンテナ４を介して送信し、その応答信号に含まれる上記自己絶対情報、自己補足情報、隣接絶対情報、及び隣接補足情報を取得するようにしてもよい（以下同様）。
【００９９】
次のステップＳ１３０では、上記ステップＳ１２５で取得された自己補足情報に含まれている自己個体状態フラグの内容が「０」であるか否か、すなわち検出した物品タグラベルＴｂに貼付されている薬品１Ａの個体がすでに誰かにその持ち出しが予約されているか否かを判定する。
【０１００】
自己個体状態フラグの内容が「１」である場合、すなわち対応する自己物品の個体がすでに予約済みであって持ち出しできない状態である場合、判定が満たされず、ステップＳ１３５へ移る。
【０１０１】
ステップＳ１３５では、表示部９に制御信号を出力して上記ステップＳ１２５で読み取った自己絶対情報のうちの自己個体登録番号とそれに対応する個体の薬品１Ａがすでに予約済みであることを表示部９に表示し、ステップＳ１１５へ戻って物品タグラベルＴｂの探索を再度行い同様の手順を繰り返す。なお、ステップＳ１３０で自己個体状態フラグの内容が「２」である場合は、対応する薬品１Ａの個体はすでに保管棚１００から持ち出されて不在の状態を意味する。したがって、上記ステップＳ１３５において、上記同様に不在である旨の表示を表示部９に行わせるようにしてもよい。
【０１０２】
なお、この２度目以降のステップＳ１１５での探索においては、それまでに検出した物品タグラベルＴｂを除いた同じ自己品種コードＡの他の物品タグラベルＴｂを探索し、その次のステップＳ１２０でそのような他の物品タグラベルＴｂの検出の有無を判定するようにしてもよい。これにより、予約済みの状態の物品タグラベルＴｂを除いた持ち出し可能又は新たに予約可能な状態の物品タグラベルＴｂのみを効率よく検出することができる。
【０１０３】
また一方、上記ステップＳ１３０の判定において、自己個体状態フラグの内容が「０」である場合、すなわち検出された物品タグラベルＴｂが貼付されている薬品１Ａが持ち出し可能に保管されている状態である場合、判定が満たされ、ステップＳ１４０へ移る。
【０１０４】
ステップＳ１４０では、表示部９に制御信号を出力して上記ステップＳ１２５で取得した自己絶対情報と自己補足情報を表示部９に表示する。これにより、最も新しく検出した物品タグラベルＴｂが貼付されている薬品１Ａの個体が現在持ち出し又は予約が可能な物品の候補であるものとしてそれに関する情報を使用者Ｍに示すことができる。
【０１０５】
次にステップＳ１４５へ移り、使用者Ｍが上記ステップＳ１４０で表示された薬品１Ａの個体を持ち出す又は予約することを指示する入力操作が操作部８を介して行われたか否かを判定する。ここで、使用者Ｍは表示部９に表示された自己絶対情報と自己補足情報を参照して対応する薬品１Ａの個体を持ち出す又は予約するか否かを決定することができる。使用者Ｍが当該薬品１Ａの個体を持ち出すことを指示しない入力操作が行われた場合、判定は満たされず、すなわち使用者Ｍは当該薬品１Ａの個体の使用を拒否したものとみなされ、そのままこのフローを終了する。なお、この場合にステップＳ１１５へ戻って物品タグラベルＴｂの探索からやり直してもよい。
【０１０６】
また一方、使用者Ｍが当該薬品１Ａの個体を持ち出すことを指示する入力操作が行われた場合、判定が満たされ、ステップＳ１５０へ移る。ステップＳ１５０では、使用者Ｍが所持している人物タグＴｊの無線タグ回路素子Ｔoに対してそのメモリ部１５５に記憶されている人物タグＩＤと使用者名を読み取る。すなわち、前述と同様、ＲＦ通信制御部１０及び装置側アンテナ４を介し人物タグＴｊに係る無線タグ回路素子Ｔoに問いかけ信号を送信し、装置側アンテナ４及びＲＦ通信制御部１０を介し上記問いかけ信号に対応する応答信号を受信し、受信信号より使用者名情報を取得する。なお、この例では問いかけ信号に対応する応答信号に使用者名情報も含まれている場合を例にとって説明しているが、前述と同様、応答信号により取得したタグＩＤを用いて対象無線タグ回路素子Ｔoを特定して、再度情報要求信号をＲＦ通信制御部１０及び装置側アンテナ４を介して送信し、その応答信号に含まれる上記使用者名情報を取得するようにしてもよい（以下同様）。
【０１０７】
その後、次のステップＳ１５５で表示部９に制御信号を出力してそれら人物タグＩＤと使用者名を表示し、使用者Ｍに確認をうながす。
【０１０８】
次にステップＳ１６０へ移り、表示された人物タグＩＤと使用者名が正しいことを使用者Ｍが確認した入力操作が行われたか否かを判定する。正しいと確認した入力操作が行われない場合、すなわち表示された人物タグＩＤと使用者名が間違っているとの入力操作が行われた場合、判定が満たされず、すなわち人物タグＴｊの付け間違いや本来の使用者Ｍ以外の他の者の人物タグＴｊを誤って読み取るなどの誤作動等が生じたものとみなされ、ステップＳ１５０へ戻り同様の手順を繰り返す。一方、表示された人物タグＩＤと使用者名が正しいと確認した入力操作が行われた場合、判定が満たされ、次のステップＳ４００で自己物品の個体の管理状態に関する情報の変更を行う自己物品情報変更処理を行い、このフローを終了する。
【０１０９】
また一方、上記ステップＳ１２０の判定において、上記ステップＳ１１５の探索によって自己品種コードがこの例の品種コードＡである（かつ予約済みではない）物品タグラベルＴｂが一つも検出されなかった場合、判定は満たされず、すなわち使用者Ｍの目的とするこの例の品種Ａの薬品１Ａで持ち出し又は予約が可能な個体が保管棚１００に一つも保管されていないものとみなされ、ステップＳ１６５以降の制御手順へ移る（ステップＳ１６５以降は図１１を参照）。
【０１１０】
図１１は、ステップＳ１６５以下の制御手順を表している。ここで、以下に説明するステップＳ１６５以降の制御手順は、本来使用者Ｍが使用目的としているこの例の品種Ａの薬品１Ａで持ち出し又は予約が可能な個体が保管棚１００に不在である場合に、その品種Ａと隣接する管理位置（この場合は中段載置段１０２）に保管されている品種Ｂの薬品１Ｂに対して品種Ａとの使用互換性を確認しつつ持ち出し操作の処理を行うものである。
【０１１１】
図１１において、まずステップＳ１６５では、保管棚１００に保管されている多数個の薬品１にそれぞれ貼付されている物品タグラベルＴｂの無線タグ回路素子Ｔoに対して、ＲＦ通信制御部１０及び装置側アンテナ４を介し隣接品種コードがこの例の品種コードＡである物品タグラベルＴｂを一つだけ探索する。なおこの例では、自己品種コードが品種コードＡである物品タグラベルＴｂを貼付している品種Ａの薬品１Ａは、保管棚１００の上段載置段１０１（最上端位置）に保管されているため、隣接品種コードが品種コードＡである物品タグラベルＴｂとして検出されるものは保管棚１００の中段載置段１０２に保管されている品種Ｂの薬品１Ｂに貼付された物品タグラベルＴｂとなる。
【０１１２】
次にステップＳ１７０へ移り、上記ステップＳ１６５の探索によって対応する物品タグラベルＴｂが検出されたか（装置側アンテナ４及びＲＦ通信制御部１０を介し上記問いかけ信号に対応する応答信号が受信されたか）否かを判定する。対応する物品タグラベルＴｂ、すなわち隣接品種コードがこの例の品種コードＡである物品タグラベルＴｂが一つでも検出された場合、判定が満たされ、すなわち本来使用者Ｍが持ち出し又は予約しようとしている目的の品種Ａの薬品１Ａに隣接する管理位置の薬品（この例の品種Ｂの薬品１Ｂ）で持ち出し又は予約が可能な個体が保管棚１００に少なくとも一つは保管されているものとみなされ、ステップＳ１７５へ移る。なお、一方で、対応する物品タグラベルＴｂが一つも検出されない場合、判定は満たされず、このフローを終了する。
【０１１３】
ステップＳ１７５では、上記ステップＳ１６５の探索により検出された一つの物品タグラベルＴｂからの上記応答信号に含まれる自己絶対情報、自己補足情報、隣接絶対情報、及び隣接補足情報を取得する。
【０１１４】
次のステップＳ１８０では、その自己補足情報に含まれている自己個体状態フラグの内容が「０」であるか否か、すなわち検出した物品タグラベルＴｂに貼付されているこの例の品種Ｂの薬品１Ｂの個体がすでに誰かにその持ち出しが予約されているか否かを判定する。
【０１１５】
自己個体状態フラグの内容が「１」である場合、すなわち対応する自己物品の個体（つまり検出されたこの例の品種Ｂの薬品１Ｂの個体）がすでに予約済みであって持ち出しできない状態である場合、判定が満たされず、ステップＳ１８５へ移る。
【０１１６】
ステップＳ１８５では、上記ステップＳ１３５と同様の表示を表示部９に行い、ステップＳ１６５へ戻って物品タグラベルＴｂの探索を再度行い同様の手順を繰り返す。
【０１１７】
なお、この２度目以降のステップＳ１６５での探索においても、上記ステップＳ１１５と同様に、それまでに検出した物品タグラベルＴｂを除いた同じ自己品種コードＢ（つまり隣接品種コードＡ）である他の物品タグラベルＴｂを探索するようにしてもよい。
【０１１８】
また一方、上記ステップＳ１８０の判定において、自己個体状態フラグの内容が「０」である場合、すなわち検出された物品タグラベルＴｂが貼付されている薬品１Ｂの個体が持ち出し可能に保管されている状態である場合、判定が満たされ、ステップＳ１９０へ移る。
【０１１９】
ステップＳ１９０では、上記ステップＳ１７５で読み取った自己絶対情報に含まれる自己品種コードのこの例の品種コードＢに対応する品種名Ｂをメモリ７から取得し、次のステップＳ１９５へ移る。
【０１２０】
ステップＳ１９５では、表示部９に制御信号を出力して上記ステップＳ１９０で取得したこの例の品種名Ｂと、上記ステップＳ１７５で読み取った自己絶対情報、自己補足情報、隣接絶対情報、及び隣接補足情報を表示部９に表示する。これにより、最も新しく検出した物品タグラベルＴｂが貼付されている薬品１Ｂの個体に関する情報を使用者Ｍに示すことができる。
【０１２１】
次にステップＳ２００へ移り、使用者Ｍが上記ステップＳ１９５で表示された薬品１Ｂの個体を持ち出す又は予約することを指示する入力操作が操作部８を介して行われたか否かを判定する。ここで、使用者Ｍは表示部９に表示された自己絶対情報、自己補足情報、隣接絶対情報、及び隣接補足情報を参照して対応する薬品１Ｂの個体を持ち出す又は予約するか否かを決定することができる。特に、隣接絶対情報に含まれる隣接品種互換性フラグを使用者Ｍが参照することにより、本来使用者Ｍが目的としていたこの例の品種Ａの薬品１Ａの代わりに、検出されたこの例の品種Ｂの薬品１Ｂを使用可能であるかの使用互換性を確認し、持ち出し又は予約するか否かを検討することができる。
【０１２２】
使用者Ｍが当該品種Ｂの薬品１Ｂの個体を持ち出すことを指示しない入力操作が行われた場合、判定は満たされず、すなわち使用者Ｍは当該品種Ｂの薬品１Ｂの個体の使用を拒否したものとみなされ、そのままこのフローを終了する。なお、この場合にステップＳ１６５へ戻って物品タグラベルＴｂの探索からやり直してもよい。
【０１２３】
また一方、使用者Ｍが当該品種Ｂの薬品１Ｂの個体を持ち出すことを指示する入力操作が行われた場合、判定が満たされ、ステップＳ２０５へ移る。ここで、以降に続くステップＳ２０５、ステップＳ２１０、及びステップＳ２１５は、それぞれ上記ステップＳ１５０、ステップＳ１５５、及びステップＳ１６０と同様に使用者Ｍの人物タグＴｊから読み取った人物タグＩＤと使用者名を使用者Ｍに確認させる手順であり、ここではその説明を省略する。
【０１２４】
そしてステップＳ２１５の判定において、表示された人物タグＩＤと使用者名が正しいと確認した入力操作が行われた場合、判定が満たされ、次のステップＳ５００へ移り、この例の品種Ｂの薬品１Ｂ（本来使用者Ｍの目的であるこの例の品種Ａの薬品１Ａに対する隣接物品）の個体の管理状態に関する情報の変更を行う隣接物品情報変更処理を行い、このフローを終了する。
【０１２５】
図１２は、携帯管理装置２のＣＰＵ５が図１０中のステップＳ４００において実行する自己物品情報変更処理の詳細手順を表すフローチャートである。なお、以下の説明で頭文字に「仮〜」が付帯する仮変数は、本実施形態を説明する便宜上、いずれも無線タグ情報の変更書き換えに用いる変数であり、書き込みが行われるまでは、仮の値として、例えば上記メモリ７のＲＡＭ等に記憶されているものとする。
【０１２６】
図１２において、まずステップＳ４０５において、使用者Ｍが上記図１０のステップＳ１４５で持ち出しを決定したこの例の品種Ａの薬品１Ａに対し実際に保管棚１００から持ち出すのか、又はこの時点では予約だけにするのかを選択入力する操作が操作部８を介して行われたか否かを判定する。いずれかの選択入力が行われるまでループして待機し、選択入力が行われた場合、判定が満たされ、次のステップＳ４１０へ移る。
【０１２７】
ステップＳ４１０では、上記ステップＳ４０５において予約が選択されたか否かを判定する。持ち出しが選択されている場合、判定が満たされず、ステップＳ４１５へ移り、仮個体状態フラグに「２」（持ち出し済み）を代入する。仮品種在庫数に上記図１０のステップＳ１２５で取得した自己品種在庫数から１を減算した値を代入してステップＳ４２５へ移る。また一方、予約が選択されている場合、ステップＳ４１０の判定が満たされ、ステップＳ４２０へ移り、仮個体状態フラグに「１」（予約済み）を代入し、仮品種在庫数に上記図１０のステップＳ１２５で取得した自己品種在庫数をそのまま代入してステップＳ４２５へ移る。
【０１２８】
ステップＳ４２５では、仮品種更新日時にその時点での現在日時を代入し、仮個体使用ＩＤ及び仮個体使用者名にそれぞれ上記図１０のステップＳ１５０で読み取った人物タグＩＤ（人物を特定する識別情報として使用）と使用者名を代入する。
【０１２９】
次にステップＳ４３０へ移り、検出された物品タグラベルＴｂの自己補足情報に上記設定済みの仮変数を変更情報としてそれぞれ対応させて書き込む。すなわち、上記図１０のステップＳ１１５で検出特定されてステップＳ１４５で使用者Ｍにより持ち出し又は予約を決定された物品タグラベルＴｂの無線タグ回路素子Ｔoに対し、ＲＦ通信制御部１０及び装置側アンテナ４を介して公知の「Program」信号等の書き込み信号を送信することにより、当該無線タグ回路素子Ｔoに記憶されている上記自己品種更新日時を仮品種更新日時で置き換え、自己品種在庫数を仮品種在庫数で置き換え、自己個体状態フラグを仮個体状態フラグで置き換え、自己個体使用者ＩＤを仮個体使用者ＩＤで置き換え、自己個体使用者名を仮個体使用者名で置き換える（変更する）ように書き込みを行う。
【０１３０】
次にステップＳ４３５へ移り、前述のステップＳ１１５と同様にして、上記ステップＳ４３０で書き込んだ物品タグラベルＴｂ以外で自己品種コードがこの例の品種コードＡである物品タグラベルＴｂを探索する。
【０１３１】
その後、次のステップＳ４４０において、上記ステップＳ４３５で探索され検出特定された物品タグラベルＴｂの無線タグ回路素子Ｔoに関し、ＲＦ通信制御部１０及び装置側アンテナ４を介して公知の「Program」信号等の書き込み信号を送信することによりその記憶した自己補足情報に対し上記仮品種更新日時及び仮品種在庫数をそれぞれ対応させて書き込む。なお、ステップＳ４３５の探索により複数の物品タグＴｂが検出された場合は公知の手法で１つずつ別々に処理を行えばよい。これにより、この例の品種Ａの薬品１Ａに貼付されているすべての物品タグラベルＴｂに対して必要な情報の更新が行われることになる。
【０１３２】
次にステップＳ４４５へ移り、前述のステップＳ１６５と同様にして、隣接品種コードがこの例の品種コードＡである物品タグラベルＴｂ（つまりこの例では品種Ｂの薬品１Ｂに貼付されている自己品種コードＢの物品タグラベルＴｂ）を探索する。
【０１３３】
そして次のステップＳ４５０で、上記ステップＳ４４５で探索され検出特定された物品タグラベルＴｂの無線タグ回路素子Ｔoに関し、ＲＦ通信制御部１０及び装置側アンテナ４を介して公知の「Program」信号等の書き込み信号を送信することによりその記憶した隣接補足情報に対して上記設定済みの仮変数を変更情報としてそれぞれ対応させて書き込む。すなわち、隣接品種更新日時を仮品種更新日時で置き換え、隣接品種在庫数を仮品種在庫数で置き換え、隣接個体状態フラグを仮個体状態フラグで置き換え、隣接個体使用者ＩＤを仮個体使用者ＩＤで置き換え、隣接個体使用者名を仮個体使用者名で置き換える（変更する）ように書き込みを行う。なお、仮個体状態フラグ、仮個体使用者ＩＤ、及び仮個体使用者名は、それぞれ隣接個体状態テーブル中で隣接個体登録番号に対応させて書き込む。なお、ステップＳ４４５の探索により複数の物品タグＴｂが検出された場合は公知の手法で１つずつ別々に処理を行えばよい。これにより、この例の品種Ｂの薬品１Ｂ（この例の品種Ａの薬品１Ａに対する隣接物品）に貼付されている全ての物品タグラベルＴｂに対して必要な情報の更新が行われることになる。そしてこのフローを終了する。
【０１３４】
図１３は、携帯管理装置２のＣＰＵ５が図１１中のステップＳ５００において実行する隣接物品情報変更処理の詳細手順を表すフローチャートであり、機能的には上記図１２に対応する図である。
【０１３５】
この図１３のフローに機能は概略的に図１２のフローとほぼ同じであり、相違点として図１２のステップＳ４３５、ステップＳ４４５に代えてそれぞれ図１３のステップＳ５３５、ステップＳ５４５を行う点で異なっている。以下その相違する手順のみ説明する。
【０１３６】
図１３において、ステップＳ５３５では、前述のステップＳ１１５と同様にして、ステップＳ５３０で書き込んだ物品タグラベルＴｂ以外で自己品種コードがこの例の品種コードＢである物品タグラベルＴｂを探索する。そして次のステップＳ５４０で、上記ステップＳ５３５で探索され検出特定された物品タグラベルＴｂの自己補足情報に対して上記同様に書き込み信号を送信することにより仮品種更新日時及び仮品種在庫数をそれぞれ対応させて書き込む。なお、ステップＳ５３５の探索により複数の物品タグＴｂが検出された場合は公知の手法で１つずつ別々に処理を行えばよい。これにより、この例の品種Ｂの薬品１Ｂに貼付されている全ての物品タグラベルＴｂに対して必要な情報の更新が行われることになる。
【０１３７】
次にステップＳ５４５へ移り、前述のステップＳ１６５と同様にして、隣接品種コードが品種コードＢである物品タグラベルＴｂ（つまりこの例では品種Ａの薬品１Ａで予約済み状態の個体、及び品種Ｃの薬品１Ｃに貼付されている自己品種コードＡ，Ｃの物品タグラベルＴｂ）を探索する。
【０１３８】
そして次のステップＳ５５０で、上記ステップＳ５４５で探索され検出特定された物品タグラベルＴｂの無線タグ回路素子Ｔoに関し、ＲＦ通信制御部１０及び装置側アンテナ４を介して公知の「Program」信号等の書き込み信号を送信することによりその記憶した隣接補足情報に対して仮品種更新日時、仮品種在庫数、仮個体状態フラグ、仮個体使用者ＩＤ、及び仮個体使用者名を変更情報としてそれぞれ対応させて書き込む。なお、ステップＳ５４５の探索により複数の物品タグＴｂが検出された場合は公知の手法で１つずつ別々に処理を行えばよい。これにより、この例の品種Ａの薬品１Ａ及び品種Ｃの薬品１Ｃ（この例の品種Ｂの薬品１Ｂに対する隣接物品）に貼付されている全ての物品タグラベルＴｂに対して必要な情報の更新が行われることになる。他の手順については、図１２と同様であり、説明を省略する。
【０１３９】
図１４は、携帯管理装置２のＣＰＵ５が図９中のステップＳ３００において実行する補充操作処理の詳細手順を表すフローチャートである。
【０１４０】
図１４において、まずステップＳ３０５において、使用者Ｍが補充を行う対象の薬品１の品種名を選択指定する入力操作が操作部８を介して行われたか否かの判定をする。なお、この選択指定の際には、メモリ７に記憶している全ての薬品１の品種名を列記表示（メニュー表示）してそこから選択できるようにしてもよい。そして、いずれかの薬品１の品種名を選択指定する入力操作が行われるまでループして待機し、入力操作が行われた場合、判定が満たされ、次のステップＳ３１０へ移る。
【０１４１】
ステップＳ３１０では、上記ステップＳ３０５で指定入力された品種名に対応する品種コード（この例では品種Ａに対応する品種コードＡ）と最新の自己個体登録番号（＝それまでに保管された品種Ａの薬品１Ａの総個体数）をメモリ７から取得し、次のステップＳ３１５へ移る。
【０１４２】
ステップＳ３１５では、保管棚１００に保管されている多数個の薬品１にそれぞれ貼付されている物品タグラベルＴｂの無線タグ回路素子Ｔoに対して、ＲＦ通信制御部１０及び装置側アンテナ４を介し自己品種コードがこの例の品種コードＡである物品タグラベルＴｂを探索する。
【０１４３】
次にステップＳ３２０へ移り、上記ステップＳ３１５の探索によって検出した物品タグラベルＴｂのうちの一つから自己絶対情報、自己補足情報、隣接絶対情報、及び隣接補足情報を読み取る。すなわち、前述と同様、ＲＦ通信制御部１０及び装置側アンテナ４を介し物品タグラベルＴｂに係る無線タグ回路素子Ｔoに問いかけ信号を送信し、装置側アンテナ４及びＲＦ通信制御部１０を介し上記問いかけ信号に対応する応答信号を受信し、受信信号より自己絶対情報、自己補足情報、隣接絶対情報、及び隣接補足情報を取得する。前述のように、１回目の応答信号により取得したタグＩＤを用いて対象無線タグ回路素子Ｔoを特定して、再度情報要求信号を送信し、その応答信号に含まれる上記自己絶対情報、自己補足情報、隣接絶対情報、及び隣接補足情報を取得するようにしてもよい。
【０１４４】
次にステップＳ３２５へ移り、表示部９に制御信号を出力して使用者Ｍに対し補充しようとする薬品１Ａの個体の製造年月日と有効期限を入力するよう表示する。
【０１４５】
次にステップＳ３３０へ移り、使用者Ｍが操作部８を介して上記の製造年月日と有効期限の各パラメータを入力する操作が行われたか否かを判定する。そして、両方のパラメータの入力操作が行われるまでループして待機し、入力操作が行われた場合、判定が満たされ、次のステップＳ３３５へ移る。
【０１４６】
ステップＳ３３５では、仮個体登録番号に上記ステップＳ３１０で取得した最新の自己個体登録番号に１を加算した値を代入し、仮個体製造年月日と仮個体有効期限に上記ステップＳ３３０で入力された製造年月日と有効期限をそれぞれ対応させて代入し、仮品種更新日時にその時点での現在日時を代入し、仮品種在庫数に、上記ステップＳ３１５の探索で検出した（この例の自己品種コードＡである）物品タグラベルＴｂの検出数に１を加算した値を代入する。
【０１４７】
次にステップＳ３４０へ移り、携帯管理装置２のメモリ７に記憶されていて補充対象のこの例の品種Ａに対応する最新の自己個体登録番号を仮個体登録番号で置き換え（変更し）、登録する。
【０１４８】
次にステップＳ３４５へ移り、補充しようとする薬品１Ａの個体に貼付する物品タグラベルＴｂを新規に作成する。これは、まず、上記ステップＳ３２０で読み取ったこの例の品種コードＡの物品タグラベルＴｂの無線タグ情報（自己絶対情報、自己補足情報、隣接絶対情報、及び隣接補足情報）を仮無線タグ情報とし、これに対して上記設定済みの各仮変数を変更情報としてそれぞれ対応させて変更を行う。
【０１４９】
すなわち、先に例えばＲＡＭ等のメモリ７において仮に設定され記憶されている自己個体登録番号を仮個体登録番号で置き換え、自己個体製造年月日を仮個体製造年月日で置き換え、自己個体有効期限を仮個体有効期限で置き換え、自己品種更新日時を仮品種更新日時で置き換え、自己品種在庫数を仮品種在庫数で置き換える（変更する）ように書き込みを行う。なおこのとき、自己個体状態フラグ、自己個体使用者ＩＤ、及び自己個体使用者名はそれぞれ初期値（自己個体状態フラグは「０」に、自己個体使用者ＩＤ及び自己個体使用者名は無記入）に設定する。また、この場合は読み取り元の物品タグラベルＴｂに無線通信を介して書き込むのではなく、携帯管理装置２のメモリ７内での変更設定だけとなる。
【０１５０】
そして、このように設定した仮無線タグ情報とこの例の品種Ａの品種名をタグラベル作成部６の入出力インターフェース３１０に出力する。これにより、前述と同様にして、補充する薬品１Ａに係る新規に作成する物品タグラベルＴｂに用いるタグテープ３０３の無線タグ回路素子Ｔoに対し、制御回路３０２、高周波回路３０１、及び作成部アンテナ３０６を介して公知の「Program」信号等の書き込み信号を送信することにより、当該無線タグ回路素子Ｔoに上記仮無線タグ情報を書き込むとともに、印字ヘッド３０５の作動によってタグテープ３０３の所定の印字領域Ｐにこの例の品種Ａの品種名と仮個体登録番号を印字する（図６参照）。なお、物品タグＩＤだけについては書き込みをせず、前述したようにあらかじめタグテープ３０３の製造メーカによって無線タグ回路素子Ｔoに記録されているタグＩＤをそのまま利用するようにしてもよい。使用者Ｍは、このようにして作成された物品タグラベルＴｂを、補充しようとする薬品１Ａの個体に貼付することで保管棚１００の管理位置に補充することができる。
【０１５１】
次にステップＳ３５０へ移り、上記ステップＳ３１５で探索され検出特定された物品タグラベルＴｂ（この例では保管棚１００に現存する自己品種コードＡの物品タグラベルＴｂ）の無線タグ回路素子Ｔoに関し、ＲＦ通信制御部１０及び装置側アンテナ４を介して公知の「Program」信号等の書き込み信号を送信することによりその記憶した自己補足情報に対して上記設定済みの仮変数を変更情報としてそれぞれ対応させて書き込む。すなわち、自己品種更新日時を仮品種更新日時で、自己品種在庫数を仮品種在庫数でそれぞれ置き換えるようにして書き込みを行う。なお、ステップＳ３２０の探索により複数の物品タグＴｂが検出された場合は公知の手法で１つずつ別々に処理を行えばよい。
【０１５２】
次にステップＳ３５５へ移り、前述のステップＳ１６５と同様にして、隣接品種コードがこの例の品種コードＡである物品タグラベルＴｂを探索する。
【０１５３】
そして次のステップＳ３６０で、上記ステップＳ３５５で探索され検出特定された物品タグラベルＴｂの無線タグ回路素子Ｔoに関し、ＲＦ通信制御部１０及び装置側アンテナ４を介して公知の「Program」信号等の書き込み信号を送信することによりその記憶した隣接補足情報に対して上記設定済みの仮変数を変更情報としてそれぞれ対応させて書き込む。すなわち、隣接品種更新日時を仮品種更新日時で置き換え、隣接品種在庫数を仮品種在庫数で置き換え、隣接個体状態フラグを仮個体状態フラグで置き換え、隣接個体使用者ＩＤを仮個体使用者ＩＤで置き換え、隣接個体使用者名を仮個体使用者名で置き換える（変更する）ように書き込みを行う。なお、ステップＳ３５５の探索により複数の物品タグＴｂが検出された場合は公知の手法で１つずつ別々に処理を行えばよい。これにより、この例の品種Ｂの薬品１Ｂ（この例の品種Ａの薬品１Ａに対する隣接物品）に貼付されている全ての物品タグラベルＴｂに対して必要な情報の更新が行われることになる。そしてこのフローを終了する。
【０１５４】
以上において、上記図１０のフローにおけるステップＳ１１５及びステップＳ１２５の手順が、装置側アンテナ４を介し無線タグ回路素子ＴoのＩＣ回路部１５０に記憶された自己品種管理位置を取得するための位置情報取得手段として機能する。また、上記図１０のステップＳ１１５、図１２のステップＳ４３５、図１３のステップＳ５３５の手順が、自己品種コードを含む問いかけ信号を用いて、当該自己品種コードに対応する無線タグ回路素子ＴoのＩＣ回路部１５０に記憶された物品タグＩＤを取得する第１タグ識別情報取得手段として機能する。
【０１５５】
また、ステップＳ１２５の手順が、ＩＣ回路部１５０に記憶された自己品種更新日時を取得する第１履歴情報取得手段、ＩＣ回路部１５０に記憶された自己品種在庫数を取得する第１総在庫情報取得手段、及びＩＣ回路部１５０に記憶された自己個体状態フラグを取得する第１予約情報取得手段として機能する。
【０１５６】
また、上記図１０のフローにおけるステップＳ１４０の手順が、上記取得した自己品種管理位置を表示部９に表示するための信号を出力する位置情報表示出力手段として機能する。
【０１５７】
また、上記図１１のフローにおけるステップＳ１６５及びステップＳ１７５の手順も、装置側アンテナ４を介し無線タグ回路素子ＴoのＩＣ回路部１５０に記憶された自己品種管理位置を取得するための位置情報取得手段として機能する。また、上記図１１のステップＳ１６５、図１２のステップＳ４４５、図１３のステップＳ５４５の手順が、隣接品種コードを含む問いかけ信号を用いて、当該隣接品種コードを記憶したＩＣ回路部１５０を備えた無線タグ回路素子Ｔoの物品タグＩＤを取得する第２タグ識別情報取得手段として機能する。
【０１５８】
また、ステップＳ１７５の手順が、ＩＣ回路部１５０に記憶された隣接品種更新日時を取得する第２履歴情報取得手段、ＩＣ回路部１５０に記憶された隣接品種在庫数を取得する第２総在庫情報取得手段、ＩＣ回路部１５０に記憶された隣接個体状態フラグを取得する第２予約情報取得手段、及びＩＣ回路部１５０に記憶された隣接品種互換性フラグを取得する互換性情報取得手段として機能する。
【０１５９】
また、上記図１１のフローにおけるステップＳ１９５の手順も、上記取得した自己品種管理位置を表示部９に表示するための信号を出力する位置情報表示出力手段として機能するとともに、上記取得した隣接品種互換性フラグを表示部９に表示するための信号を出力する互換性情報表示出力手段としても機能する。
【０１６０】
また、上記図１２のフローにおけるステップＳ４３０及びステップＳ４４０、上記図１３のフローにおけるステップＳ５３０及びステップＳ５４０の手順が、薬品の入出荷に対応して更新した自己品種在庫数を、装置側アンテナ４を介し、当該品種の薬品の無線タグ回路素子ＴoのＩＣ回路部１５０に書き込む第１書き込み手段として機能する。
【０１６１】
また、上記図１２のフローにおけるステップＳ４５０の手順、及び上記図１３のフローにおけるステップＳ５５０の手順が、薬品の入出荷に対応して更新した隣接品種在庫数を、装置側アンテナ４を介し、当該品種の薬品の無線タグ回路素子ＴoのＩＣ回路部１５０に書き込む第２書き込み手段として機能する。
【０１６２】
以上のように構成した本実施形態においては、管理対象の品種の薬品１に対し無線タグ回路素子Ｔoを備えた物品タグラベルＴｂが関連して取り扱われる（この例では貼付。その他同梱、添付等でもよい。）ようになっており、その無線タグ回路素子ＴoのＩＣ回路部１５０に、当該薬品１の自己品種コードと自己品種管理位置とが記憶されている。携帯管理装置２の装置側アンテナ４により無線タグ回路素子Ｔoと無線通信が行われると、上記図１０のフローにおけるステップＳ１２５の手順で自己品種管理位置が取得され、これに対応する信号が上記図１０のフローにおけるステップＳ１４０の手順で表示部９へ出力され、当該無線タグ回路素子Ｔoに関連付けられた品種の薬品１の自己品種管理位置（保管棚１００における載置段の位置）を表示部９で表示される。
【０１６３】
このようにして、管理対象の品種の薬品１に貼付されている物品タグラベルＴｂの無線タグ情報の読み取りを行うだけで、（特にデータベースアクセス等を行うことなく）当該品種の薬品１が配置・収納されるべき位置が表示されるので、使用者Ｍ（操作者、管理者）は各品種の薬品１の配置・収納位置を確実に認識することができ、物品管理における利便性を向上することができる。
【０１６４】
また、この実施形態では特に、自己品種コードを指定して問いかけ信号により問いかけを行うことにより、これに無線タグ回路素子Ｔoの応答があれば、当該無線タグ回路素子Ｔoに関連付けられた管理対象の品種の薬品１が、探したい物品であることになる。そこで、応答した無線タグ回路素子Ｔoの物品タグＩＤを上記図１０のフローにおけるステップＳ１１５の手順で取得することにより、この取得結果に基づき物品タグＩＤを用いて当該無線タグ回路素子Ｔoを特定することができる。この結果、その特定した無線タグ回路素子Ｔoに対し上記図１０のフローにおけるステップＳ１２５の手順で管理対象の品種の薬品１の自己品種管理位置を取得し、当該品種の薬品１の配置・収納位置を特定することができる。
【０１６５】
また、この実施形態では特に、自己品種コードを指定した問いかけ信号に応答した無線タグ回路素子Ｔoから自己品種更新日時を取得することにより、探したい品種の薬品１の持ち出し、持ち出しの予約、及び補充の履歴を確認することができる。また同様に、問いかけ信号に応答した無線タグ回路素子Ｔoから自己品種在庫数を取得することにより、探したい品種の薬品１の在庫数を確認することができる。このとき、薬品１の入出荷に応じて自己品種在庫数を更新して無線タグ回路素子Ｔoに書き込むことにより、在庫が変動したときにこれを確実に反映させ、常に最新の情報を各無線タグ回路素子Ｔoに記憶させることができる。また同様、自己品種コードを指定した問いかけ信号に応答した無線タグ回路素子Ｔoから自己個体状態フラグを取得することにより、探したい品種の薬品１の個体が、既に使用予定として予約されているかどうかを確認することができる。これらにより、さらに利便性を向上することができる。
【０１６６】
また、この実施形態では特に、隣接品種コードを指定した問いかけ信号により問いかけを行うことにより、これに応答する無線タグ回路素子Ｔoがあれば、（自己対象物情報を指定した問いかけ信号に応答がなかった場合でも）当該無線タグ回路素子Ｔoに関連付けられた管理対象物品は、探したい物品と配置・収納位置が近い物品であることになる。携帯管理装置２の装置側アンテナ４により当該無線タグ回路素子Ｔoと無線通信が行われると、上記図１１のフローにおけるステップＳ１７５の手順で自己品種管理位置が取得され、これに対応する信号が上記図１１のフローにおけるステップＳ１９５の手順で表示部９へ出力される。この結果、当該無線タグ回路素子Ｔoに関連付けられた品種の薬品１の自己品種管理位置（保管棚１００における載置段の位置）を表示部９で表示することができる。
【０１６７】
そして応答した無線タグ回路素子Ｔoの物品タグＩＤを上記図１１のフローにおけるステップＳ１６５の手順で取得することで、この取得結果に基づき物品タグＩＤを用いて当該無線タグ回路素子Ｔoを特定することができる。これにより、その特定した無線タグ回路素子Ｔoに対し上記図１１のフローにおけるステップＳ１７５の手順で自己品種管理位置を取得することで、当該物品（探したい物品の近くにある物品）の配置・収納位置を特定することができる。
【０１６８】
また、この実施形態では特に、探したい品種の薬品１が所定の配置・収納位置になくそれに対応する自己品種コードを指定した問いかけ信号に応答する無線タグ回路素子Ｔoがなかったとしても、隣接品種コードを指定した問いかけ信号に応答した無線タグ回路素子Ｔoがあった場合、その隣接品種更新日時（＝探したい品種の薬品１の自己品種更新日時に相当）を取得することができる。この結果、探したい品種の薬品１の更新日時（入出荷履歴）を確認することができるので、探したい品種の薬品１が不在状態でも管理が可能となり、さらに利便性を向上することができる。
【０１６９】
また、この実施形態では特に、隣接品種コードを指定した問いかけ信号に応答した無線タグ回路素子Ｔoがあった場合、その隣接品種在庫数（＝探したい品種の薬品１の自己品種在庫数に相当）を取得することができるため、探したい品種の薬品１の在庫数を確認することができるので、探したい品種の薬品１が不在状態でも管理が可能となる。このとき、薬品１の入出荷に応じて隣接品種在庫数を更新して無線タグ回路素子Ｔoに書き込むことにより、在庫が変動したときにこれを確実に反映させ、常に最新の情報を各無線タグ回路素子Ｔoに記憶させることができる。同様に、問いかけ信号に応答した無線タグ回路素子Ｔoがあった場合、その隣接個体状態フラグ（＝探したい品種の薬品１の個体の自己個体状態フラグに相当）を取得することができる。この結果、探したい品種の薬品１が、既に持ち出し予定として予約されているかどうかを確認することができる。また同様に、問いかけ信号に応答した無線タグ回路素子Ｔoがあった場合、その隣接互換性フラグを取得し表示させることができる。この結果、探したい品種の薬品１に代えて別の品種の薬品１によって代用できるかどうかを確認することができる。これらにより、さらに利便性を向上することができる。
【０１７０】
なお、上記においては、管理対象物品の薬品１が所定の箇所（各段の載置棚）にあっても、それが予約されているものであるかどうかを判定するようにしたが、これに限られない。このような薬品１の予約を行わず、持ち出して不在となっているか、持ち出されておらず現存しているか、のみに応じて管理を行うようにしてもよい。
【０１７１】
なお、以上で用いた「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１７２】
また、以上既に述べた以外にも、上記実施形態や各変形例による手法を適宜組み合わせて利用しても良い。
【０１７３】
その他、一々例示はしないが、本発明は、その趣旨を逸脱しない範囲内において、種々の変更が加えられて実施されるものである。
【図面の簡単な説明】
【０１７４】
【図１】本発明の物品管理システムを適用した在庫管理システムの外観を表す斜視図である。
【図２】在庫管理システムの概略を表すシステム構成図である。
【図３】携帯管理装置におけるＣＰＵ、ＲＦ通信制御部、及び装置側アンテナの詳細構成を表す機能ブロック図である。
【図４】タグラベル作成部の概略構成を表す概念的説明図である。
【図５】物品タグラベル及び人物タグに共通して備えられた無線タグ回路素子の機能的構成の一例を表すブロック図である。
【図６】物品タグラベルの全体概略構造の一例を表す上面図と下面図である。
【図７】物品タグラベルの無線タグ回路素子に記憶させる無線タグ情報の一例を概念的に表す図である。
【図８】物品タグラベルの無線タグ回路素子に記憶させる隣接個体状態テーブルの一例を概念的に表す図である。
【図９】携帯管理装置のＣＰＵによって実行される在庫管理処理の制御手順を表すフローチャートである。
【図１０】携帯管理装置のＣＰＵが図９中のステップＳ１００において実行する持ち出し操作処理の詳細手順を表すフローチャートである。
【図１１】携帯管理装置のＣＰＵが図９中のステップＳ１００において実行する持ち出し操作処理の詳細手順を表すフローチャートである。
【図１２】携帯管理装置のＣＰＵが図１０中のステップＳ４００において実行する自己物品情報変更処理の詳細手順を表すフローチャートである。
【図１３】携帯管理装置のＣＰＵが図１１中のステップＳ５００において実行する隣接物品情報変更処理の詳細手順を表すフローチャートである。
【図１４】携帯管理装置のＣＰＵが図９中のステップＳ３００において実行する補充操作処理の詳細手順を表すフローチャートである。
【符号の説明】
【０１７５】
１Ａ              薬品（管理対象物品）
１Ｂ              薬品（管理対象物品）
１Ｃ              薬品（管理対象物品）
２                携帯管理装置（無線タグ情報読み取り装置）
３                装置本体
４                装置側アンテナ
５                ＣＰＵ
６                タグラベル作成部
７                メモリ
８                操作部
９                表示部（表示手段）
１０              ＲＦ通信制御部
１００            保管棚
１０１            上段載置段
１０２            中段載置段
１０３            下段載置段
Ｓ                在庫管理システム（物品管理システム）
Ｍ                使用者（操作者）
Ｔｂ              物品タグラベル
Ｔｊ              人物タグ
Ｔo               無線タグ回路素子
【図１】
2008143669.tif 000003
【図２】
2008143669.tif 000004
【図３】
2008143669.tif 000005
【図４】
2008143669.tif 000006
【図５】
2008143669.tif 000007
【図６】
2008143669.tif 000008
【図７】
2008143669.tif 000009
【図８】
2008143669.tif 000010
【図９】
2008143669.tif 000011
【図１０】
2008143669.tif 000012
【図１１】
2008143669.tif 000013
【図１２】
2008143669.tif 000014
【図１３】
2008143669.tif 000015
【図１４】
2008143669.tif 000016